(57)【特許請求の範囲】
【請求項１】
キーによる施錠操作を規制する錠ロック手段を有する下足ロッカーと、制御手段とから構成されたシューズロッカーシステムであって、
前記下足ロッカーは、扉の開操作を規制する扉開ロック手段と、ロッカー内に収納された下足を検出する下足検出センサとを備え、
前記制御手段は、下足ロッカーに対応付けられた表示部と、該下足ロッカーのキーを装填するキー保持手段と、該キー保持手段のキーの有無を検出するキースイッチと、予め決められた所定時間を計時する計時手段とを備え、
上記制御手段が、前記下足検出センサの出力信号により、前記計時手段の計時動作を開始し、前記表示部で表示を行い、かつ、前記錠ロック手段による施錠操作の規制を解除し、その後、前記キースイッチでキーが無しと検出され、かつ、上記計時手段で計時が終了しているときに、前記扉の開操作を規制し、上記キースイッチでキーが有りと検出されると前記扉の開操作の規制を解除するようにしたことを特徴とするシューズロッカーシステム。
【請求項２】
キーによる施錠操作を規制する錠ロック手段を有する下足ロッカーと、上履きを収納する上履きロッカーと、制御手段とから構成されたシューズロッカーシステムであって、
前記下足ロッカーは、扉の開操作を規制する扉開ロック手段と、ロッカー内に収納された下足を検出する下足検出センサとを備え、
前記上履きロッカーは、ロッカー内に収納された上履きを検出する上履き検出センサを備え、
前記制御手段は、下足ロッカーに対応付けられた表示部と、該下足ロッカーのキーを装填するキー保持手段と、該キー保持手段のキーの有無を検出するキースイッチと、予め決められた所定時間を計時する計時手段とを備え、
前記制御手段が、前記下足検出センサの出力信号と上記上履き検出センサの非出力信号により、前記計時手段の計時動作を開始し、前記表示部で表示を行い、かつ、前記錠ロック手段による施錠操作の規制を解除し、その後、前記キースイッチでキーが無しと検出され、かつ、上記計時手段で計時が終了しているときに、前記扉の開操作を規制し、上記キースイッチでキーが有りと検出されると前記扉の開操作の規制を解除するようにしたことを特徴とするシューズロッカーシステム。
【請求項３】
前記制御手段は、清算システムに接続され、清算終了状態と清算未終了状態とで前記表示部の表示態様を異ならせることを特徴とする請求項１または請求項２記載のシューズロッカーシステム。
【発明の詳細な説明】
【０００１】
【発明の属する技術分野】
本発明は、健康ランド等の施設で下足の管理をするためのシューズロッカーシステムに関する。
【０００２】
【従来の技術】
従来、この種のシューズロッカーシステムは、例えば次のように使用される。施設の利用者は下足をロッカーに収納して施錠し、そのロッカーのキーをフロントに預ける。施設の利用後にはフロントで清算等を行ってキーを受け取り、そのキーでロッカーを開けて下足を取り出して帰る。しかし、一人の利用者が空きロッカーを重複して使用したり、キーをフロントに預けないで施設を利用するなどの不正利用を抑える必要がある。このため、例えば、特開昭６３−７５８９６号、特開昭６３−１２５７８７号に開示されたものがある。
【０００３】
特開昭６３−７５８９６号のものは、ロッカー内のセンサで下足の有無を検出して下足が収納されたときフロント側の表示部に点灯表示したり、下足を収納してから一定時間が経過してもフロントにキーが預けられないと警報を発生させるものである。また、下足がロッカー内に収納されているときだけ施錠可能にするようにしている。特開昭６３−１２５７８７号のものは、ロッカー内に下足を収納することによって施錠（キー操作）を可能にするとともに、下足を収納してから一定時間が経過してもフロントにキーが預けられないと警報を発生させるものである。これにより、空きロッカーの不正利用を検出するようにしている。
【０００４】
【発明が解決しようとする課題】
しかし、上記のような従来のシステムでは、不正利用を検出できても、不正利用を防止するには不十分である。また、この種のシステムではフロントで預かったキーを確実に管理することが要求される。
【０００５】
本発明は、シューズロッカーシステムにおいて不正利用を防止するとともにキーの管理を確実に行えるようにすることを課題とする。
【０００６】
【課題を解決するための手段】
上記の課題を解決するためになした本発明の請求項１記載のシューズロッカーシステムは、キーによる施錠操作を規制する錠ロック手段を有する下足ロッカーと、制御手段とから構成されたシューズロッカーシステムであって、前記下足ロッカーは、扉の開操作を規制する扉開ロック手段と、ロッカー内に収納された下足を検出する下足検出センサとを備え、前記制御手段は、下足ロッカーに対応付けられた表示部と、該下足ロッカーのキーを装填するキー保持手段と、該キー保持手段のキーの有無を検出するキースイッチと、予め決められた所定時間を計時する計時手段とを備え、上記制御手段が、前記下足検出センサの出力信号により、前記計時手段の計時動作を開始し、前記表示部で表示を行い、かつ、前記錠ロック手段による施錠操作の規制を解除し、その後、前記キースイッチでキーが無しと検出され、かつ、上記計時手段で計時が終了しているときに、前記扉の開操作を規制し、上記キースイッチでキーが有りと検出されると前記扉の開操作の規制を解除するようにしたことを特徴とする。
【０００７】
また、本発明の請求項２記載のシューズロッカーシステムは、上記請求項１の構成に、上履きを収納する上履きロッカーと、上履きロッカー内に収納された上履きを検出する上履き検出センサとをさらに備え、前記制御手段が、前記下足検出センサの出力信号と上記上履き検出センサの非出力信号により、前記計時手段の計時動作を開始し、前記表示部で表示を行い、かつ、前記錠ロック手段による施錠操作の規制を解除し、その後、前記キースイッチでキーが無しと検出され、かつ、上記計時手段で計時が終了しているときに、前記扉の開操作を規制し、上記キースイッチでキーが有りと検出されると前記扉の開操作の規制を解除するようにしたことを特徴とする。
【０００８】
【作用】
本発明の請求項１記載のシューズロッカーシステムによれば、下足ロッカーに下足が収納されると、計時手段の計時動作が開始され、表示部で表示が行われ、かつ、錠ロック手段による施錠操作の規制が解除される。したがって、下足が収納されたときだけキーにより下足ロッカーの扉の施錠操作を行うことができる。また、表示部の表示により下足が収納されたことをを確認できる。
【０００９】
制御手段は、下足を収納してから所定時間が経過してもキー保持手段にキー無しと検出されると、扉の開操作を規制し、キー有りが検出されるまでこの規制が解除されないので、下足ロッカーから下足を取り出すにはフロント等に設けられた制御手段のキー保持手段にキーを装填することが要求され、不正利用を防止できる。
【００１０】
また、キーはその下足ロッカーに対応するキー保持手段に確実に保持できるので、表示部の表示とキーにより下足ロッカーの状態を把握し易くなるとともに、キーを確実に管理することができる。
【００１１】
【発明の実施の形態】
図４は本発明実施例のシューズロッカーシステムの概略を説明する図である。このシューズロッカーシステムは例えば健康ランド等の施設で運用されるものであり、施設の玄関に配設されたシューズロッカー１と施設のフロントに配設されたフロント表示盤２で構成されている。
【００１２】
シューズロッカー１は、下足を入れるための下足ロッカー１１と上履きが収められている上履きロッカー１２とを１組のロッカー１ａとして、複数組のロッカー１ａを複数段、複数列に配設したものであり、各ロッカー１ａにはそれぞれ対応するキー３が備えられている。また、フロント表示盤２は、各組のロッカー１ａに各々対応する表示盤ユニット２１とリストバンド収容部２２を一組のユニット装置２ａとして、複数組のユニット装置２ａを複数段、複数列に配設したものである。そして、ロッカー１ａ、ユニット装置２ａおよびキー３には対応するもの同士で同じロッカー番号が付されており、各ロッカー番号は通し番号となっている。なお、ロッカー１ａと表示盤ユニット２１は対応するもの同士が接続されている。
【００１３】
このシステムの運用時には次のように使用される。利用者は空いているロッカー１ａの下足ロッカー１１に下足を預けてキー３で施錠し、その上の上履きロッカー１２から上履きを取り出してそれを履き、下足ロッカー１１のキー３をフロントに預ける。フロントでは預かったキー３をそのロッカー番号に基づいてそれに対応する表示盤ユニット２１のシリンダ錠に差し込んで回し、その表示盤ユニット２１の下にあるリストバンド収容部２２からリストバンドを取り出して利用者に渡す。
【００１４】
利用者は与えられたリストバンドのロッカー番号をＩＤ番号として施設を利用し、清算時にリストバンドをフロントに渡す。フロント係は受け取ったリストバンドのロッカー番号に基づいて清算が終了すると、そのリストバンドのロッカー番号に基づいてそれに対応する表示盤ユニット２１から預かっているキー３を抜き取って利用者に渡す。そして、利用者は受け取ったキー３で同じロッカー番号のロッカー１ａの下足ロッカー１１を解錠して下足を取り出し、上履きを上履きロッカー１２に収納して帰る。
【００１５】
図２は一組のロッカー１ａの正面図であり、下足ロッカー１１および上履きロッカー１２の扉１１ａ，１２ａは、その端部がそれぞれ框部１１ｂ，１２ｂの前面を覆うように取り付けられており、各扉１１ａ，１２ａの框部１１ｂ，１２ｂに対応する部分には把手１１ｃ，１２ｃがそれぞれ取り付けられている。下足ロッカー１１の框部１１ｂ内には扉１１ａの開閉操作を規制する錠装置１１１が配設されており、この錠装置１１１の通常の施解錠を行うシリンダ錠１１１ａが扉１１ａに形成された切欠き部から露出されるとともに、非常解錠用のシリンダ錠１１１ｂが扉１１ａに形成された穴から露出されている。
【００１６】
錠装置１１１は、キー３によりシリンダ錠１１１ａを回動することにより規制板１１１ｃを出没させて扉１１ａの施錠と解錠を行うものであり、錠ロック手段としてシリンダ錠１１１ａの回動を規制する錠ソレノイド１１１ｄを備えている。なお、キー３は左に回して施錠するまで抜き取ることができないようになっている。また、錠装置１１１は、扉開ロック手段として駆動軸１１１ｅを扉１１ａ側に出して扉１１ａの開操作を規制する扉ソレノイド１１１ｆを備えている。
【００１７】
さらに、下足ロッカー１１の内部には下足を検出する下足検出センサ１１２が、上履きロッカー１２の内部には上履きを検出する上履き検出センサ１２１がそれぞれ配設されている。この下足検出センサ１１２および上履き検出センサ１２１は感圧センサで構成されており、下足あるいは上履きが載せられたことを検出するものである。なお、このように物体の有無を検出するセンサとしては、光学式等その他のセンサでもよい。
【００１８】
以上の下足検出センサ１１２、上履き検出センサ１２１、錠装置１１１の錠ソレノイド１１１ｄおよび扉ソレノイド１１１ｆはそれぞれロッカー１ａに対応する前記表示盤ユニット２１に接続されている。
【００１９】
図３はフロント表示盤２の一組のユニット装置２ａの正面図であり、制御手段としての表示盤ユニット２１の前面には、この表示盤ユニット２１に対応する下足ロッカー１１内に下足が収納されているか否かを確認するための表示部としての下足確認ランプ２１ａと上履きロッカー１２内に上履きが収納されているか否かを確認するための上履き確認ランプ２１ｂがそれぞれ配設されている。また、表示盤ユニット２１の前面には、対応する下足ロッカー１１のシリンダ錠１１１ａとペアで同じキー３を挿入できるキー保持手段としてのシリンダ錠２１ｃが配設されており、このシリンダ錠２１ｃにキー３を挿入して左に回すとキースイッチ２１ｄがオンとなり、右に回すとキースイッチ２１ｄはオフとなる。なお、リストバンド収容部２２はボックス状になっており、内部にリストバンドが収容されている。
【００２０】
図１は実施例のシューズロッカーシステムのブロック図であり、シューズロッカー１側の１つのロッカー１ａとそれに対応するフロント表示盤２側の１つの表示盤ユニット２１の一組について示したものであり、その他のロッカー１ａと表示盤ユニット２１の組も同様の構成になっている。
【００２１】
表示盤ユニット２１は制御部２１１を備えており、この制御部２１１は、ＣＰＵ２１１ａ、ＲＯＭ２１１ｂ、ＲＡＭ２１１ｃ、入出力ポート（Ｉ／Ｏ）２１１ｄ1 ，２１１ｄ2 およびタイマ２１１ｅからなるマイクロコンピュータと、上履き確認ランプ２１ｂの点灯制御を行うスイッチ回路２１１ｆとから構成されている。下足ロッカー１１の下足検出センサ１１２、錠ソレノイド１１１ｄおよび扉ソレノイド１１１ｆは入出力ポート２１１ｄ1 に接続されており、表示盤ユニット２１の下足確認ランプ２１ａおよびキースイッチ２１ｄは入出力ポート２１１ｄ2 に接続されている。また、上履きロッカー１２の上履き検出センサ１２１はスイッチ回路２１１ｆに接続され、スイッチ回路２１１ｆには上履き確認ランプ２１ｂが接続されている。
【００２２】
以上の構成により、ＣＰＵ２１１ａはＲＯＭ２１１ｂに格納された制御プログラムに基づいてＲＡＭ２１１ｃのワーキングエリアおよびタイマ２１１ｅを使用して全体の制御を行う。なお、スイッチ回路２１１ｆは上履き検出センサ１２１から上履きを検出している検出信号が入力されているときは上履き確認ランプ２１ｂを点灯させ、非検出信号が入力されているときは上履き確認ランプ２１ｂを消灯する。
【００２３】
図６は実施例の制御プログラムのフローチャートであり、同図に基づいて動作を説明する。なお、初期状態では下足ロッカー１１の錠装置１１１は錠ソレノイド１１１ｄにより施錠不能になっている。ＣＰＵ２１１ａは、電源の投入等によって処理を開始すると、ステップＳ１で下足検出センサ１１２の出力信号に基づいて下足ロッカー１１内に下足が検出されるのを監視し、下足が検出されるとステップＳ２でタイマ２１１ｅをスタートさせ、ステップＳ３で下足確認ランプ２１ａを点灯させ、さらに、ステップＳ４で錠ソレノイド１１１ｄを作動させて錠装置１１１における施錠操作を可能にする。
【００２４】
次に、ステップＳ５で、キースイッチ２１ｄがＯＮであるか否かを判定し、ＯＮであればステップＳ１３に進み、ＯＦＦであればステップＳ６でタイマ２１１ｅがタイムアップしているか否かを判定し、タイムアップしていればステップＳ８に進み、タイムアップしていなければステップＳ７で下足検出センサ１１２の出力信号に基づいて下足が検出されるかを判定し、下足が検出されればステップＳ５に戻る。また、下足が検出されなければステップＳ１６に進む。
【００２５】
すなわち、キースイッチ２１ｄがＯＦＦでタイマ２１１ｅがタイムアップしておらず、かつ、下足が検出されていればステップＳ５〜ステップＳ７のループを繰り返して待機する。これは、通常、利用者が下足を預けてフロントにキー３を預け、フロントでキー３により表示盤ユニット２１のシリンダ錠２１ｃが操作されるまでの時間に相当する。また、ステップＳ１６は錠ソレノイド１１１ｄを作動させて錠装置１１１における施錠操作を不能にする処理であり、上記ステップＳ５〜ステップＳ７のループの間に下足を取り出すと施錠不能となる。
【００２６】
一方、利用者が下足を入れてフロントにキー３を預けずタイマ２１１ｅがタイムアップすると、ステップＳ８で下足確認ランプ２１ａを点滅させ、ステップＳ９で扉ソレノイド１１１ｆを作動させて扉開不能にし、ステップＳ１０に進む。この下足確認ランプ２１ａの点滅状態により、フロントでは、下足が預けられたにもかかわらずキーが預けられないという異常状態を確認することができ、さらに、この状態では、利用者はキー３で解錠しても扉１１ａを開けることができなくなる。
【００２７】
次に、ステップＳ１０でキースイッチ２１ｄがＯＮとなるまで待機し、ＯＮとなるとステップＳ１１で扉ソレノイド１１１ｆを作動させて扉開可能にし、ステップＳ１２で下足確認ランプ２１ａを点灯状態にしてステップＳ１３に進む。すなわち、上記のような異常状態でも、例えば利用者がキー３をフロントに預けてキー３で表示盤ユニット２１のシリンダ錠２１ｃが操作されると、下足確認ランプ２１ａはもとの点灯状態となり、扉開可能となる。
【００２８】
以上のようにキー３が表示盤ユニット２１のシリンダ錠２１ｃに挿入されて左に回転されるとステップＳ１３に進み、このステップＳ１３でキースイッチ２１ｄがＯＦＦとなるまで待機する。この状態は、利用者が施設を利用している時間に相当する。そして、利用者がフロントにリストバンドを返却して清算を終え、表示盤ユニット２１のシリンダ錠２１ｃのキー３が右に回転されると、キースイッチ２１ｄがＯＦＦとなってステップＳ１４に進む。
【００２９】
ステップＳ１４では下足検出センサ１１２の出力信号に基づいて下足ロッカー１１から下足が検出されなくなるのを監視し、下足が検出されなくなるとステップＳ１５で下足確認ランプ２１ａを消灯し、ステップＳ１６で錠ソレノイド１１ｄを作動させて錠装置１１１における施錠操作を不能にし、ステップＳ１に戻る。
【００３０】
以上の処理により、ロッカーが適正に利用されていると、表示盤ユニット２１のパネル面は状況に応じて図５のようになる。すなわち、ロッカーが未使用の状態では、図５(A) のようにシリンダ錠２１ｃにキーが装着されておらず、下足確認ランプ２１ａは消灯状態（白丸）、上履き確認ランプ２１ｂは点灯状態（黒丸）となる。また、下足を入れて上履きを取り出した状態では、図５(B) のようにシリンダ錠２１ｃにキーが装着されておらず、下足確認ランプ２１ａは点灯状態、上履き確認ランプ２１ｂは消灯状態となる。さらに、フロントにキー３を預けた状態では、図５(C) のようにシリンダ錠２１ｃにキー３が装着されて左に回転され、下足確認ランプ２１ａは点灯状態、上履き確認ランプ２１ｂは消灯状態となる。なお、利用者が上履きを取り忘れた場合でも、上履き確認ランプ２１ｂの点灯状態で判るので、利用者に注意を促すことができる。
【００３１】
このように、フロントでは、表示盤ユニット２１の下足確認ランプ２１ａと上履き確認ランプ２１ｂの状態およびキー３の有無により、ロッカーの使用状況を容易に把握することができる。例えば、利用者から受け取ったキー３をそのロッカー番号の表示盤ユニット２１のシリンダ錠２１ｃに挿入するとき、下足確認ランプ２１ａが点灯しているか否かを確認できるので、例えば、利用者が下足を預けたロッカーと異なるロッカーを間違って施錠して、間違ったキー３をフロントに出した場合でも、直ぐに判断することができる。また、この表示盤ユニット２１が配列されたフロント表示盤２のパネル面全体からシューズロッカー１の全体の使用状況が把握できる。
【００３２】
さらに、下足ロッカー１１の錠装置１１１は、下足等を入れないかぎり施錠装置をすることができないので、いたずら等により未使用のロッカーを施錠されてしまうなどの不都合も回避することができる。さらに、施錠されたロッカーのキーがフロントに預け入れられない場合は、一定時間で扉開不能となるので不正利用等を防止することができる。
【００３３】
上記の実施例では、上履きロッカー１２の上履き検出センサ１２１は、上履きロッカー１２から上履きが取り出されたか戻されたかを表示するためのものであるが、下足検出センサ１１２の出力信号とこの上履き検出センサ１２１の出力信号の両方に基づいて、下足有りで上履き無しとなって初めてロッカーを使用可能にするようにしてもよい。なお、この場合は、上履き検出センサ１２１の出力信号は表示盤ユニット２１の制御部２１１のＣＰＵ２１１ａに入力するとともに入出力ポート２１１ｄ2 から上履き確認ランプ２１ｂの点灯制御を行うように構成する。
【００３４】
図７は上記のような条件に設定した場合の制御プログラムのフローチャートであり、図６と同じステップには同符号を付記してその説明は省略する。すなわちステップＳ１で下足が検出されるとステップＳ１−１で下足確認ランプ２１ａを点灯させ、ステップＳ１′で上履き検出センサ１２１の出力信号に基づいて上履きロッカー１２内から上履きが検出されなくなるのを監視し、上履きが検出されなくなるとステップＳ１′−１で上履き確認ランプ２１ｂを消灯し、ステップＳ２以降の処理を行う。
【００３５】
図８はシューズロッカーシステムを清算システムと連動させた場合の制御プログラムのフローチャートであり、図６と同じステップには同符号を付記してその説明は省略する。なお、清算システムはホストコンピュータにより利用者のＩＤ番号であるロッカー番号に基づいて利用状況に応じた料金計算を行い、清算終了の入力により領収書の発行等を行うようになっており、このホストコンピュータからの清算終了または清算未終了のデータを表示盤ユニット２１の制御部２１１のＣＰＵ２１１ａに入力するように構成されている。これにより、ＣＰＵ２１１ａは図８の処理を行う。
【００３６】
図８と図５で異なるとことは、ステップＳ１３の前にステップＳ１２−１およびステップＳ１２−２を挿入したところであり、ステップＳ５またはステップＳ１２の処理の後に、ステップＳ１２−１で清算が終了したか否かを監視する。そして、清算が終了したらステップＳ１２−２で下足確認ランプ２１ａを点滅させ、ステップＳ１３に進む。なお、この点滅の間隔は、ステップＳ８における点滅の間隔と異ならせる。
【００３７】
以上の処理により、清算が終了すると下足確認ランプ２１ａが点滅状態になるので、フロントで清算終了を確認してからキー３を利用者に返却することができ、また、キー３を利用者に返却してから、この点滅状態が長く続いている場合には、清算終了から長時間にわたって下足が取り出されない場合など、何らかの異常を察知することができる。
【００３８】
以上の実施例では、下足ロッカーの扉の開操作を規制する扉開ロック手段として扉ソレノイド１１１ｆを用いているが、この扉開ロック手段としては、例えば錠装置において錠ソレノイドでシリンダ錠の回動を規制することにより扉の開操作を規制するようにしてもよい。
【００３９】
また、実施例では、下足ロッカーのキーを装填するキー保持手段として表示盤ユニット２１のシリンダ錠２１ｃを用い、このシリンダ錠２１ｃを左に回転した状態を「キー有り」、右に回転した状態をも含めて「キー無し」と判定しているが、キー保持手段として、例えばキーを単に挿入できるようなもので、キーが挿入されると「キー有り」、キーが挿入されなければ「キー無し」と判定するようにしてもよい。
【００４０】
また、実施例のシューズロッカーシステムは、上履きロッカーを備え、上履き検出センサに基づいて上履き確認ランプの点灯表示を行うようにしているが、上履きロッカーが無い場合でも本発明は適用できる。
【００４１】
【発明の効果】
以上説明したように本発明によれば、シューズロッカーシステムにおいて、下足ロッカーに配設した下足検出センサで下足の有無を検出し、フロント等に配設される制御手段で下足ロッカーのキーが検出されずに、下足の検出から所定時間が経過すると、下足ロッカーの扉開操作を規制するとともに、制御手段においてキーを装填して保持するキー保持手段を設けるようにしたので、下足ロッカーの不正利用を防止するとともにキーの管理を確実に行うことができる。
【図面の簡単な説明】
【図１】本発明実施例のシューズロッカーシステムのブロック図である。
【図２】本発明実施例における一組のロッカーの正面図
【図３】本発明実施例におけるユニット装置の正面図である。
【図４】本発明実施例のシューズロッカーシステムの概略を説明する図である。
【図５】本発明実施例における表示盤ユニットの表示例を示す図である。
【図６】本発明実施例における制御プログラムのフローチャート。
【図７】下足有り上履き無しでロッカーを使用可能にする実施例における制御プログラムのフローチャート。
【図８】清算システムと連動させた実施例における制御プログラムのフローチャートである。
【符号の説明】
３…キー、１１…下足ロッカー、２１…表示盤ユニット、２１ａ…下足確認ランプ、２１ｃ…シリンダ錠、２１ｄ…キースイッチ、１１１ｄ…錠ソレノイド、１１１ｆ…扉ソレノイド、１１２…下足検出センサ、２１１ｅ…タイマ。
【図１】
0003645632.tif 000002
【図２】
0003645632.tif 000003
【図３】
0003645632.tif 000004
【図４】
0003645632.tif 000005
【図５】
0003645632.tif 000006
【図６】
0003645632.tif 000007
【図７】
0003645632.tif 000008
【図８】
0003645632.tif 000009